(57)【要約】【課題】位置決め固定構造が簡単であるとともに、組み付けを容易に行うことができるランプの取付構造を提供する。【解決手段】フロントバンパ１１に形成された取付孔１２にフォグランプ１３を取り付けるとともに、そのフォグランプ１３の外周に加飾リング１４を設ける。フォグランプ１３のケース２１及び加飾リング１４には、係合突起２４，１９をそれぞれ形成する。フロントバンパ１１には１つの位置決め孔１６を形成する。両係合突起２４，１９を位置決め孔１６に嵌入することにより、フォグランプ１３のケース２１及び加飾リング１４をフロントバンパ１１に対して位置決めする。その位置決め位置と反対側の位置において、フォグランプ１３のケース２１をフロントバンパ１１にネジ止めすることにより、加飾リング１４をフロントバンパ１１とフォグランプ１３との間で挟持固定する。【選択図】図２
2009248589.tif 000002
【特許請求の範囲】
【請求項１】
バンパに形成された取付孔にランプを取り付けるとともに、そのランプの外周に加飾リングを設けたランプの取付構造において、
前記ランプのケース及び前記加飾リングをバンパに対してそれぞれ位置決めしたことを特徴とするランプの取付構造。
【請求項２】
前記ランプのケース及び加飾リングにそれぞれ突起を形成し、それらの突起を重ね合わせた状態でバンパに形成された位置決め孔に嵌入させて位置決めしたことを特徴とする請求項１に記載のランプの取付構造。
【請求項３】
前記ケースに形成された押圧部と加飾リングに形成された突起とを重ね合わせた状態で、取付孔の前面の装飾板にバンパの一部を介して固定したことを特徴とする請求項２に記載のランプの取付構造。
【請求項４】
前記ランプのケース及び加飾リングの突起のうちの少なくとも一方の突起の弾力性を利用して、両突起を位置決め孔の内側縁に圧接させたことを特徴とする請求項３に記載のランプの取付構造。
【発明の詳細な説明】
【技術分野】
【０００１】
この発明は、自動車におけるフロントバンパやリヤバンパに対して、フォグランプ等のランプを取り付けるためのランプの取付構造に関するものである。
【背景技術】
【０００２】
従来、この種のランプの取付構造としては、例えば特許文献１に開示されるような構造が提案されている。
この従来構造においては、フロントバンパに形成された取付孔に、フォグランプが加飾リングを介して位置決め固定されている。すなわち、フロントバンパの取付孔には加飾リング（特許文献１の実施形態においては枠体４１）が、フロントバンパの裏面側から嵌め込まれ、爪と孔との係合により位置決め係止されるとともに、スクリューの螺合により固定されている。加飾リングにはフォグランプが、フロントバンパの裏面側から嵌め込まれ、フォグランプにあらかじめ取り付けられたブラケットを介して加飾リングにスクリューを螺合することによって位置決め固定されている。
【特許文献１】特開２００７−８３９７４号公報
【発明の開示】
【発明が解決しようとする課題】
【０００３】
前記のように、この特許文献１に示された従来のランプの取付構造においては、フロントバンパの取付孔に、加飾リングとフォグランプとが順に組み付けられるものであるが、フォグランプは加飾リングを介して前記取付孔に間接的に位置決め固定される。このため、フロントバンパと加飾リングとの間、及び加飾リングとフォグランプとの間に位置決め固定部をそれぞれ設ける必要がある。また、フォグランプは、フロントバンパの取付孔に対して、前記のように加飾リングを間に挟んで間接的に位置決めされることになり、組み付けが面倒で時間がかかるばかりでなく、組み付け精度の確保が困難であるという問題があった。
【０００４】
この発明は、このような従来の技術に存在する問題点に着目してなされたものである。その目的は、位置決め固定構造が簡単であるとともに、組み付け精度を容易に確保できて組み付けを簡単に行うことができるランプの取付構造を提供することにある。
【課題を解決するための手段】
【０００５】
上記の目的を達成するために、この発明は、バンパに形成された取付孔にランプを取り付けるとともに、そのランプの外周に加飾リングを設けたランプの取付構造において、前記ランプのケース及び前記加飾リングをバンパに対してそれぞれ位置決めしたことを特徴としている。
【０００６】
従って、この発明のランプの取付構造においては、加飾リング及びランプがそれぞれバンパに対して位置決めされる。従って、バンパと加飾リングとの間、及び加飾リングとランプとの間に位置決め固定部をそれぞれ設ける必要がなく、位置決め固定構造を簡略化することができる。しかも、バンパの取付孔に対して、加飾リング及びランプを順に位置決めして組み付ける必要がなく、このため、組み付け精度を容易に確保して組み付けを簡単に行うことができる。
【０００７】
前記の構成において、前記ランプのケース及び加飾リングにそれぞれ突起を形成し、それらの突起を重ね合わせた状態でバンパに形成された位置決め孔に嵌入させて位置決めするとよい。このように構成した場合には、位置決め固定構造が簡単であるとともに、バンパに対する加飾リング及びランプの位置決めを一箇所において同時に行うことが可能となる。
【０００８】
前記の構成において、前記ケースに形成された押圧部と加飾リングに形成された突起とを重ね合わせた状態で、取付孔の前面の装飾板にバンパの一部を介して固定するとよい。このようにすれば、ランプのケース、加飾リング及び装飾板をバンパに対してネジ等により一体に固定できる。
【０００９】
さらに、前記の構成において、前記ランプのケース及び加飾リングの突起のうちの少なくとも一方の突起の弾力性を利用して、両突起を位置決め孔の内側縁に圧接させるとよい。このようにすれば、前記突起の弾力性を利用してランプのケース及び加飾リングを位置決め状態で固定できる。
【発明の効果】
【００１０】
以上のように、この発明によれば、位置決め固定構造が簡単であるとともに、組み付けを容易に行うことができるという効果を発揮する。
【発明を実施するための最良の形態】
【００１１】
以下に、この発明の一実施形態を、図面に基づいて説明する。
図１及び図２に示すように、この実施形態では、車両におけるフロントバンパ１１の左右両端部に、それぞれフォグランプ取付孔（以下、単に取付孔という）１２が透設されている。各取付孔１２にはフォグランプ１３が嵌め込まれた状態で取り付けられ、そのフォグランプ１３にはその外周の加飾リング１４により装飾が施されている。フォグランプ１３に対して車幅方向の内側に位置するように、各取付孔１２の前面には装飾板１５が嵌め込まれた状態で取り付けられている。
【００１２】
前記取付孔１２、フォグランプ１３、加飾リング１４及び装飾板１５等の形状や構成、あるいはそれらの取付構造は、左右対称な構造となっている。よって、図面には一方の構成のみを示して、その図面に従って構成の詳細を説明する。
【００１３】
図１及び図２に示すように、前記フロントバンパ１１の取付孔１２の一側（端部側）に形成した内側フランジ１２ａには、１つの位置決め孔１６が形成されている。取付孔１２の他側に形成した架設部１２ｂには、１つの縦溝状の係止孔１７及び一対のネジ挿通孔１８が形成されている。
【００１４】
前記加飾リング１４の一側外周には、前記位置決め孔１６に嵌入される突起１９が形成されている。図２に示すように、この突起１９はバネ性を有するように、屈曲状または湾曲状に形成され、付け根部において前記位置決め孔１６の前縁に圧接される。加飾リング１４の他側外周には、前記係止孔１７にその裏面側から挿入されて、前記架設部１２ｂの裏面に係合した突部２０が形成されている。
【００１５】
前記フォグランプ１３は、ケース２１と、そのケース２１の前面に装着された透明カバー２２と、ケース２１内に配設された光源２３とを備えている。フォグランプ１３のケース２１の一側外周には、前記位置決め孔１６内に嵌入される突起２４が形成されている。この突起２４の後面には、位置決め孔１６の後縁に圧接される圧接部２４ａが形成されている。また、突起２４の前面には前記加飾リング１４の突起１９が弾性変形をともないながら圧接される。従って、突起１９及び突起２４は、突起１９の弾性力に抗して重ね合わされた状態で位置決め孔１６内に嵌入されている。
【００１６】
図１及び図３に示すように、ケース２１の他側外周には一対の固定座部２５が突設され、それらの固定座部２５にはそれぞれ前記ネジ挿通孔１８に対応するネジ挿通孔２６が形成されている。前記装飾板１５の裏面には一対のボス２７が突設され、それらのボス２７には前記ネジ挿通孔１８，２６に対応するネジ孔２８が形成されている。そして、ネジ挿通孔１８，２６をその後部側から通るネジ２９がこのネジ孔２８に螺入される。なお、このネジ孔２８は、ネジ２９によって形成されるタップ孔でもよい。また、ネジ２９の代わりにクリップが用いられてもよい。図２に示すように、前記ケース２１には、加飾リング１４の突部２０をその後面側から押圧する押圧部２１ａが形成されている。
【００１７】
次に、前記フロントバンパ１１の取付孔１２に対してフォグランプ１３、加飾リング１４及び装飾板１５を取り付ける場合の方法について説明する。
さて、これらの部材の取付時には、まず車体（図示しない）に組み付けられる前のフロントバンパ１１の裏面側から、フロントバンパ１１の取付孔１２に加飾リング１４を嵌め込む。そして、加飾リング１４の外周の突起１９及び突部２０を、位置決め孔１６及び係止孔１７にそれぞれ嵌入させる。また、フロントバンパ１１の裏面側から、加飾リング１４の内側にフォグランプ１３を嵌め込む。そして、フォグランプ１３のケース２１上の突起２４を、加飾リング１４の突起１９に後ろ側に重ね合わせて、前記位置決め孔１６に嵌入させる。そして、この状態では、加飾リング１４の突起１９が位置決め孔１６の前縁に圧接されて、その突起１９の弾力性により突起２４の圧接部２４ａが位置決め孔１６の後縁に圧接されている。このため、加飾リング１４及びフォグランプ１３がフロントバンパ１１の取付孔１２に対して、その一側周縁で所定位置に位置決めされる。また、加飾リング１４の突部２０がケース２１に押圧部２１ａにより押圧されて、その押圧部２１ａと架設部１２ｂとの間に挟持されて、位置決めされる。そして、この状態では、加飾リング１４及びフォグランプ１３の一側がフロントバンパ１１に対して固定される。
【００１８】
その後、フロントバンパ１１の前面側から、フォグランプ１３に隣接して、フロントバンパ１１の取付孔１２に装飾板１５を配置する。この状態で、フロントバンパ１１の裏面側から、取付孔１２の周縁のネジ挿通孔１８、フォグランプ１３のケース２１のネジ挿通孔２６を介して、装飾板１５上のボス２７のネジ孔２８に一対のネジ２９を螺合する。このネジ２９の取り付けにより、そのフォグランプ１３の他側がフロントバンパ１１に位置決め状態で固定されるとともに、加飾リング１４がフロントバンパ１１とフォグランプ１３との間において位置決め状態で挟持固定される。
【００１９】
以上のようにして、加飾リング１４及びフォグランプ１３がフロントバンパ１１に対して位置決め状態で固定される。
従って、この実施形態においては、以下の効果がある。
【００２０】
（１）  フォグランプ１３のケース２１及び加飾リング１４に形成された突起２４，１９が、フロントバンパ１１に形成された１つの位置決め孔１６に嵌入されることにより、フォグランプ１３のケース２１及び加飾リング１４がフロントバンパ１１に対してそれぞれ単独で位置決めされる。このため、従来構造とは異なって、フロントバンパ１１と加飾リング１４との間、及び加飾リング１４とフォグランプ１３のケース２１との間に位置決め固定部をそれぞれ設ける必要がなく、位置決め固定構造を簡略化することができる。
【００２１】
（２）  フロントバンパ１１の取付孔１２対して、加飾リング１４及びフォグランプ１３を順に位置決めして組み付ける必要がなく、組み付けを容易に行うことができる。
（３）  フォグランプ１３は、フロントバンパ１１に対して直接位置決めされるため、フォグランプ１３の組み付け精度を容易に確保できる。
【００２２】
（４）  加飾リング１４の突起１９の弾力性を利用して、その突起１９及びフォグランプ１３のケース２１の突起２４が位置決め孔１６の内側縁に圧接される。従って、フォグランプ１３及び加飾リング１４の固定やがたつき防止のためのバネ手段が不要となり、構成を簡素化できる。
【００２３】
なお、この発明は、前記実施形態に限定されるものではなく、以下のように具体化してもよい。
・  この発明をフォグランプ以外の他のランプ、例えば、ヘッドランプ、リヤランプの取付構造において具体化すること。
【００２４】
・  加飾リング１４の突起１９及びフォグランプ１３のケース２１の突起２４を位置決め孔１６の内側縁に圧接させるための弾力性を両突起１９，２４、あるいはケース２１側の突起２４にのみ与えること。
【図面の簡単な説明】
【００２５】
【図１】一実施形態のランプの取付構造を示す要部分解斜視図。
【図２】図１の２−２線における組付け状態の要部拡大断面図。
【図３】図１の３−３線における組付け状態の部分拡大断面図。
【符号の説明】
【００２６】
１１…フロントバンパ、１２…取付孔、１３…フォグランプ、１４…加飾リング、１５…装飾板、１６…位置決め孔、１８…ネジ挿通孔、１９…突起、２１…ケース、２１ａ…押圧部、２４…突起、２６…ネジ挿通孔、２９…ネジ。
【図１】
2009248589.tif 000003
【図２】
2009248589.tif 000004
【図３】
2009248589.tif 000005